(57)【要約】  本発明は、より良好で改良された自己組立てのための壁または任意の押出し部などであるもののそれらに限定されない支持構造をキャップ部品に有する逆流防止弁に関し、封止表面での溶接バリによる逆流防止弁の漏れをなくす。加えて、完全に組立てられた逆流防止弁ユニットの閉鎖状態の内部に組立てられ得る、内蔵または挿入成形されたフィルターユニットが設けられる。本発明はまた、キャップと、フィルターと、ダイアフラムと、ダイアフラム用ベースと、圧縮ばねと、底部本体とを含む逆流防止弁に関する。
2020523534.tif 000002
【特許請求の範囲】
【請求項１】
ａ）  流体が流れることを可能にするための細長いノズルを有するキャップ１２と、
ｂ）  前記流体からの不要な含有物をろ過するためのフィルター１４と、
ｃ）  流体が前記キャップ１２の前記ノズルを通り抜けると前記流体が圧縮ばね２０を順方向に圧縮することを可能にするために、また、細長い圧縮状態では、ばね２０が、流体が逆方向に流れることを防止するように前記キャップ１２の開口／ノズルをふさぐかまたは閉鎖することを確実にするために、ベースユニット１８に固定された可撓性ダイアフラム１６と、
ｄ）  細長いノズルと溝付き溶接フランジ２８とを有する底部本体２２とを含む、逆流防止弁１０であって、
細長いかまたは押出された表面２４が、溶接表面と封止表面とを分離して前記逆流防止弁１０の漏れをなくし、前記細長いかまたは押出された表面２４は、その溶接フランジ２６とともに前記キャップに設けられ、
前記フィルターは、前記流体に入ってくる不要な粒子をろ過するための内蔵または挿入成形タイプのものであり得る、逆流防止弁。
【請求項２】
前記逆流防止弁にはオプションで、より良好で改良された自己組立てのための壁または任意の押出し部が設けられ得る、請求項１に記載の逆流防止弁。
【請求項３】
前記逆流防止弁には、完全に組立てられた逆流防止弁１０の閉鎖状態の内部に組立てられ得る、内蔵または挿入成形されたフィルターユニットが設けられる、請求項１に記載の逆流防止弁。
【発明の詳細な説明】
【技術分野】
【０００１】
発明の分野
本発明は、漏れを防ぐ逆流防止弁、自己支持構造を有する逆流防止弁、および、改良された自己組立てのための成形フィルターユニットを提供する。より特定的には、この発明は、キャップに組込まれた支持構造、および、完全に組立てられた逆流防止弁ユニットの閉鎖状態の内部に組立てられた内蔵または挿入成形フィルターユニットを提供する。
【背景技術】
【０００２】
発明の背景
逆流防止弁は、流体入口および出口が設けられた本体、ノズルを有する上部本体部分上のキャップ、ノズルを有する底部本体、ばね、およびダイアフラムといった、複数の部品から構成される。また、機能的アセンブリを完成させるために、部品はすべて、締結および／または溶接される。より特定的には、キャップと底部本体とはともに封止、締結または溶接され、部品の残りは前記封止されたアセンブリ内に収容される。加えて、システムに入る流体の浄化を容易にするために、フィルターアセンブリなどといった他の補助機器または装置を有する逆流防止弁を構成することは、周知の技術である。
【０００３】
一般に、逆流防止弁は流体ライン循環路内に組込まれており、流体はそれを一方向に通される。逆流防止弁が組込まれたそのようなシステムまたは用途のいずれでも、逆流防止弁のすべての部品が、その内部構成の機能性に影響を与えることなく完全に封止されるべきであるということが要求される。したがって、いずれのシステムでも、逆流防止弁からの流体の漏れを防止するために密封が存在すべきであるということが強く推奨される。なぜなら、配置の不具合は流体の損失を引き起こすかもしれず、それは、他の部品が誤動作すること、他の高価で感度のよい部品が不適当に機能することをもたらし得るためである。
【０００４】
現在、超音波溶接のような従来の方法が、逆流防止弁の本体を接合するために使用される。超音波溶接は、圧力下で工作物を溶融するために高周波数の超音波音響振動を局所的に印加する工業的手法であり、固相溶接としても知られている。この方法は周知の手法であり、より精密になるよう、およびエネルギー効率が高まるよう、時間とともに進化してきた。漏れを防ぐ封止を得るための他の最先端の方法を使用することは可能であるが、接合される部品のジオメトリ、設計、および形状が、滑らかな動作、好適な遊びおよび許容差、良好な仕上がり、および滑らかな動作のために、部品の好適な許容差および仕上がりを有するよう良好に設計されるべきであるということが要求される。
【０００５】
ろ過されていない流体は流体ライン循環路を通って運ばれ、したがって、フィルターアセンブリなどの補助機器または装置が逆流防止弁と結合され、それは、システムの他の部品へ到達または移動しようとするあらゆる不要な粒子をろ過する。逆流防止弁への追加の別個のフィルターアセンブリは人間工学的ではない。なぜなら、これは、システムに対するさらなる依存性をもたらすためである。
【０００６】
一方、封止ゾーンと溶接ゾーンとの分離がない、逆流防止弁のうまく設計されていないアセンブリは、封止ゾーンにおける溶接の汚染の侵入を可能にするかもしれず、それはＮＲＶ（non return valve：逆流防止弁）からの流体の漏れを引き起こすであろう。また、キャップ封止表面とダイアフラムとの接触が不適当な超音波溶接も、逆流防止弁の漏れをもたらすかもしれない。
【０００７】
前述の事項に基づいて、逆流防止弁の改良された部品設計に対する要望が存在する。また、改良された部品設計では、フィルターディスクを内部アセンブリ内に組込むことができ、それは基本設計の人間工学を向上させる。
【発明の概要】
【発明が解決しようとする課題】
【０００８】
発明の目的
本発明の主な目的は、封止表面での溶接バリによる逆流防止弁の漏れをなくすことである。
【０００９】
本発明のさらに別の目的は、組立てが簡単な自己支持構造を有する逆流防止弁を提供することである。
【００１０】
本発明のさらに別の目的は、キャップ部品に保護壁を追加することである。
本発明のさらに別の目的は、溶接ゾーンと封止ゾーンとを分離することである。
【００１１】
本発明のさらに別の目的は、溶接中、または逆流防止弁の動作中に溶接汚染が封止ゾーン内に侵入することを防止することである。
【００１２】
本発明のさらに別の目的は、システムの他の部品へ到達または移動しようとする不要な粒子をろ過する挿入成形フィルターを提供することである。
【００１３】
本発明のさらに別の目的は、非常にコスト効率の良いやり方で組立てエラーを減少させる内蔵／挿入成形フィルターを逆流防止弁のキャップに設けることである。
【課題を解決するための手段】
【００１４】
発明の概要
本発明は、より良好で改良された自己組立てのための壁または任意の押出し部などであるもののそれらに限定されない支持構造をキャップ部品に有する逆流防止弁に関し、封止表面での溶接バリによる逆流防止弁の漏れをなくす。加えて、完全に組立てられた逆流防止弁ユニットの閉鎖状態の内部に組立てられ得る、内蔵または挿入成形されたフィルターユニットが設けられる。
【００１５】
この発明はこのため、
ａ）  流体が流れることを可能にするための細長いノズルを有するキャップ１２と、
ｂ）  流体からの不要な含有物をろ過するためのフィルター１４と、
ｃ）  流体がキャップ１２のノズルを通り抜けると流体が圧縮ばね２０を順方向に圧縮することを可能にするために、また、細長い圧縮状態では、ばね２０が、流体が逆方向に流れることを防止するようにキャップ１２の開口／ノズルをふさぐかまたは閉鎖することを確実にするために、ベースユニット１８に固定された可撓性ダイアフラム１６と、
ｄ）  細長いノズルと溝付き溶接フランジ２８とを有する底部本体２２とを含む、逆流防止弁１０であって、
細長いかまたは押出された表面２４が、溶接表面と封止表面とを分離して逆流防止弁１０の漏れをなくし、前記細長いかまたは押出された表面２４は、その溶接フランジ２６とともにキャップに設けられ、溶接はフラッシュ溶接であってもよく、
フィルターは、流体に入ってくる不要な粒子をろ過するための内蔵または挿入成形タイプのものであり得る、逆流防止弁１０を含む。
【００１６】
本発明の一実施形態では、逆流防止弁は、キャップと、フィルターと、ダイアフラムと、ダイアフラム用ベースと、圧縮ばねと、下部または底部本体とを含む。
【００１７】
本発明の別の実施形態では、溶接表面と封止表面とを分離して、封止表面での溶接バリによる逆流防止弁の漏れをなくす保護壁が、キャップに設けられる。
【００１８】
本発明のさらに別の実施形態では、逆流防止弁は、流体に入ってくる不要な粒子をろ過するための内蔵または挿入成形フィルター部品を含む。
【００１９】
図面の詳細な説明
以下の図面を参照して、本発明を説明する。図面および関連する説明は、この発明の範囲を限定するためではなく、この発明の実施形態を例示するために提供される。
【図面の簡単な説明】
【００２０】
【図１】本発明の一実施形態に係る逆流防止弁の分解図である。
【図２】本発明の一実施形態に係るキャップ部品の斜視図である。
【図３】本発明の一実施形態に係るキャップ部品の底面斜視図である。
【図４】本発明の一実施形態に係る逆流防止弁の断面図である。
【図５】本発明の一実施形態に係る内蔵／挿入成形フィルターユニットの上面図である。
【発明を実施するための形態】
【００２１】
発明の詳細な説明
添付図面を参照して、本発明を以下により十分に説明する。以下の説明は本発明の好ましい実施形態を詳述しているが、本発明は、その１０の適用が、添付図面に示す部品の構成および配置の詳細に限定されない。
【００２２】
図面を参照して、要素ごとに数字表示が与えられており、読者が特に図面に示す本発明の実施形態を参照して本発明を理解することを容易にする。同封された説明および図面は、好ましい実施形態の単なる例示である。本発明の特定の構成要素、材料、構成、および用途がこの開示で説明され、述べられるが、ここで、および添付図面で説明される構成要素への、および当該構成要素の構成への多くの変更が、ここに述べられるこの発明の範囲および機能を変えることなく行なわれ得るということが理解されるべきである。
【００２３】
一実施形態では、本発明は、より良好で改良された自己組立てのための壁または任意の押出し部などであるもののそれらに限定されない支持構造をキャップ部品に有する逆流防止弁を提供し、封止表面での溶接バリによる逆流防止弁の漏れをなくす。加えて、完全に組立てられた逆流防止弁ユニットの閉鎖状態の内部に組立てられ得る、内蔵または挿入成形されたフィルターユニットが設けられる。
【００２４】
ここで図１を参照して、一実施形態では、本発明は逆流防止弁１０を提供し、それは、形状が略円形であり、細長いノズルを含むキャップ１２と、不要な含有物がさらに弁に流れ込むことを防止するための非常に薄いフィルター１４と、可撓性材料で構成されたダイアフラム１６と、アセンブリ内でダイアフラム１６を固定するためのベース１８と、ベース１８に対する圧力を保ち、細長い状態では、流体が入口に向かって逆方向に流れることを防止するように開口をふさぐかまたは閉鎖することを確実にする圧縮ばね２０と、形状が略円形であり、細長いノズルを含む底部本体２２とを含む。
【００２５】
ここで図２を参照して、一実施形態では、本発明は、形状が略円形であり、細長いノズルを含むキャップ１２を提供する。また、キャップ１２には、細長いかまたは押出された表面２４が設けられ、それは、溶接表面と封止表面とを分離して、封止表面での溶接バリによる逆流防止弁の漏れをなくす。
【００２６】
ここで図３を参照して、一実施形態では、本発明は、形状が略円形であり、細長いノズルを含むキャップ１２を提供する。また、キャップ１２は溶接フランジ２６を有し、溶接フランジ２６は、底部本体２２との溶接／ロックのために、その周囲に押出し部を有する。
【００２７】
ここで図４を参照して、一実施形態では、逆流防止弁１０の断面図が示され、キャップ１２の溶接フランジ２６が底部本体２２の溶接フランジ２８と接触していることが示される。溶接フランジ２８は、キャップ１２との溶接／ロックのために、その周囲に溝を有する。逆流防止弁１０の全体的組立てが一旦完了すると、それは溶接用の固定具に載せられる。溶接中、双方のフランジは圧力および熱を受けて溶融される。この溶接プロセス中、溶接粒子などの溶融材料がアセンブリの内部区域に向かって流れるが、溶接表面と封止表面とを分離する細長いかまたは押出された表面２４が存在するため、それは、溶融材料の流れと、アセンブリ内部の封止表面での溶接バリとに抵抗する。これは、フランジ全体にわたる良好な溶接を確実にし、逆流防止弁の漏れをなくす。また、それは、内部部品が滑らかに機能し、ガタガタと動くことがないように保つ。
【００２８】
ここで図５を参照して、一実施形態では、成形フィルターユニット１４が組立てられたキャップ１２が示される。前記フィルターユニット１４は、キャップの「上部本体部分」の成形プロセス中にキャップ１２に内蔵され得る。
【００２９】
この発明はこのため、
ａ）  流体が流れることを可能にするための細長いノズルを有するキャップ１２と、
ｂ）  流体からの不要な含有物をろ過するためのフィルター１４と、
ｃ）  流体がキャップ１２のノズルを通り抜けると流体が圧縮ばね２０を順方向に圧縮することを可能にするために、また、細長い圧縮状態では、ばね２０が、流体が逆方向に流れることを防止するようにキャップ１２の開口／ノズルをふさぐかまたは閉鎖することを確実にするために、ベースユニット１８に固定された可撓性ダイアフラム１６と、
ｄ）  細長いノズルと溝付き溶接フランジ２８とを有する底部本体２２とを含む、逆流防止弁１０であって、
細長いかまたは押出された表面２４が、溶接表面と封止表面とを分離して逆流防止弁１０の漏れをなくし、前記細長いかまたは押出された表面２４は、その溶接フランジ２６とともにキャップに設けられ、溶接はフラッシュ溶接であってもよく、
フィルターは、流体に入ってくる不要な粒子をろ過するための内蔵または挿入成形タイプのものであり得る、逆流防止弁１０を含む。
【００３０】
別の実施形態では、逆流防止弁にはオプションで、より良好で改良された自己組立てのための壁または任意の押出し部が設けられ得る。加えて、逆流防止弁には、完全に組立てられた逆流防止弁１０の閉鎖状態の内部に組立てられ得る、内蔵または挿入成形されたフィルターユニットが設けられる。
【図１】
2020523534.tif 000003
【図２】
2020523534.tif 000004
【図３】
2020523534.tif 000005
【図４】
2020523534.tif 000006
【図５】
2020523534.tif 000007
【国際調査報告】
2020523534.tif 000008
2020523534.tif 000009